(57)【要約】【課題】逆回転方向の操作入力を逃がす構造をもつ切換機構の小型化を図る。【解決手段】切換機構１０は入力アーム１３と出力アーム１２とを有する。入力アーム１３は第１の連結軸１３Ａにより出力アーム１２に回転可能に連結されて、常時は巻きバネ１２Ｄによって出力アーム１２に対して正回転方向に回転附勢されて、出力アーム１２をベース体１１に連結する第２の連結軸１２Ａに当接した状態に保持されている。入力アーム１３に正回転方向の操作入力がかけられると、入力アーム１３と第２の連結軸１２Ａとの当接点を支点に、第１の連結軸１３Ａが第２の連結軸１２Ａを中心に押し回されて、出力アーム１２が第２の連結軸１２Ａを中心に回転操作される。しかし、入力アーム１３は、逆回転方向の操作入力がかけられる時には、巻きバネ１２Ｄの附勢に抗して第１の連結軸１３Ａを中心に出力アーム１２に対して逆回転方向に空振り回転する。【選択図】図２
2010006097.tif 000002
【特許請求の範囲】
【請求項１】
正回転方向の操作入力を受けた時には同入力を回転出力として伝達するが逆回転方向の操作入力を受けた時には同入力を空振り回転によって逃がす車両用シートの切換機構であって、
前記正回転方向の操作入力を受けて回転する入力アームと、
該入力アームとの係合により該入力アームに追従して回転する出力アームとを有し、
前記入力アームは第１の連結軸によって前記出力アームに回転可能に軸支連結されており、常時は前記出力アームとの間に掛着されたバネ部材の附勢力によって正回転方向に回転附勢された状態として前記出力アームをベース体に回転可能に軸支連結する第２の連結軸に当接した状態に保持されており、
前記入力アームはその前記第１の連結軸による回転中心点と操作入力を受ける入力点との間の部位が前記第２の連結軸に当接するようになっており、該入力アームに正回転方向の操作入力がかけられることにより該入力アームと前記第２の連結軸との当接点を支点に前記第１の連結軸が前記第２の連結軸を中心に押し回されて前記出力アームが同第２の連結軸を中心に回転操作されるが、前記入力アームに逆回転方向の操作入力がかけられる時には該入力アームが前記バネ部材の附勢力に抗して前記第１の連結軸を中心に前記出力アームに対して逆回転方向に空振り回転することを特徴とする車両用シートの切換機構。
【請求項２】
請求項１に記載の車両用シートの切換機構であって、
前記出力アームにはロック解除の作動構造を備えたロック装置が連結されており、該ロック装置は前記出力アームが回転操作される前の状態ではロックした作動状態或いはロック作動が可能な状態とされて保持されているが、前記出力アームが前記入力アームの正回転方向の回転運動に追従して回転操作されることによりロック不能な解除状態に切換えられるようになっており、前記入力アームは該入力アームを正回転方向に押動したり逆回転方向に押動したりする移動体との係合によりそれぞれの回転方向に回転操作されるが、該移動体との係合から外れることによって前記出力アームと共に附勢によって回転操作される前の初期位置状態に戻されるようになっていることを特徴とする車両用シートの切換機構。
【請求項３】
請求項２に記載の車両用シートの切換機構であって、
前記移動体は回転によりその外周面部に突出形成された突出部を前記入力アームに押し当てることで該入力アームの正逆双方向の回転操作を行う回転カムとして形成されており、前記第１の連結軸の配設位置は前記回転カムの突出部が前記入力アームを正回転方向に押し回して該入力アームとの係合から外れる際の角当たり状態で前記回転カムを逆回転方向に戻し操作した時に前記突出部から前記入力アームにかけられる押圧力の作用線から外れた偏心位置に設定されていることを特徴とする車両用シートの切換機構。
【請求項４】
請求項３に記載の車両用シートの切換機構であって、
前記回転カムは車両用シートのシートバックに一体的に形成されて該シートバックの傾動回転に伴って回転するようになっており、該シートバックを前傾姿勢位置まで倒し込んで保持する途中止め操作時には前記入力アームが前記回転カムにより正回転方向に押し回されて該回転カムの突出部に乗り上げた状態に保持されることにより前記車両用シートをフロアに対してスライドロックする前記ロック装置としてのスライドロック装置のロック状態が解除されてその状態に保たれるが、前記シートバックを前傾姿勢を越えた前倒し位置まで倒し込む大倒し操作を行うことにより前記入力アームが前記回転カムの突出部を乗り越えて両者の係合が外されて前記スライドロック装置がロック状態に戻されるようになっていることを特徴とする車両用シートの切換機構。
【発明の詳細な説明】
【技術分野】
【０００１】
本発明は、車両用シートの切換機構に関する。詳しくは、正回転方向の操作入力を受けた時には同入力を回転出力として伝達するが、逆回転方向の操作入力を受けた時には同入力を空振り回転によって逃がす車両用シートの切換機構に関する。
【背景技術】
【０００２】
従来、車両用シートにおいて、シート本体の後方側の乗降スペースを広げるために、シートバックを前傾姿勢に切り換えると共にシート全体を車両前方側にスライドさせられるようにするウォークイン機能を備えたものが知られている。ここで、下記特許文献１には、上述したウォークイン機能に加えて、シートバックを大倒ししてシート全体を小さく畳み込めるようにするチルトダウン機能を備えた車両用シートが開示されている。
【０００３】
この開示では、車両用シートは、そのウォークイン動作時に、併せてフロアに対するスライドロック状態が解除されるようになっている。しかし、車両用シートは、そのチルトダウン動作時には、一旦は同じようにフロアに対するスライドロック状態が解除されてしまうが、直ぐに解除状態からスライドロックされた状態に戻されるようになっている。具体的には、このスライドロック状態を切り換える機構は、リンク機構によって構成されており、シートバックがウォークイン動作によって前傾位置まで倒し込まれる動きに押されてスライドロックを解除するようにリンク運動するようになっている。
【０００４】
そして、同切換機構は、シートバックが前傾位置まで倒し込まれた位置に保持されることにより、それ自体もシートバックとの係合によってスライドロックを解除した状態に保たれるようになっている。しかし、切換機構は、シートバックがチルトダウン動作によって前倒し位置まで倒し込まれる時には、シートバックとの係合から外れて、スライドロックを解除操作する前の状態に戻される。
【０００５】
そして、切換機構は、シートバックが前倒しされた位置から起こし上げられる時には、再びシートバックと係合し、シートバックによって上記とは逆方向に押動される。しかしこの場合には、切換機構は、上記したシートバックの動きを逃がすようにリンク機構の入力アームが空振り回転することにより、逆方向へのリンク運動が行われないようになっている。
【０００６】
【特許文献１】特開２００４−５８９２８号公報
【発明の開示】
【発明が解決しようとする課題】
【０００７】
しかし、上記開示の従来技術では、例えばシートバックの起こし上げ動作時に入力アームを逃がし方向に大きく空振り回転させられるようにするために、入力アームの回転半径を大きくとると、入力アームの正逆双方向全体の回転の振り幅が大きくなってしまう。
【０００８】
本発明は、上記した問題を解決するものとして創案されたものであって、本発明が解決しようとする課題は、逆回転方向の操作入力を逃がす構造をもつ切換機構の小型化を図ることにある。
【課題を解決するための手段】
【０００９】
上記課題を解決するために、本発明の車両用シートの切換機構は次の手段をとる。
先ず、第１の発明は、正回転方向の操作入力を受けた時には同入力を回転出力として伝達するが、逆回転方向の操作入力を受けた時には同入力を空振り回転によって逃がす車両用シートの切換機構である。この車両用シートの切換機構は、正回転方向の操作入力を受けて回転する入力アームと、入力アームとの係合により入力アームに追従して回転する出力アームとを有する。入力アームは、第１の連結軸によって出力アームに回転可能に軸支連結されており、常時は出力アームとの間に掛着されたバネ部材の附勢力によって、正回転方向に回転附勢された状態として、出力アームをベース体に回転可能に軸支連結する第２の連結軸に当接した状態に保持されている。入力アームは、その第１の連結軸による回転中心点と操作入力を受ける入力点との間の部位が、第２の連結軸に当接するようになっている。入力アームに正回転方向の操作入力がかけられることにより、入力アームと第２の連結軸との当接点を支点に、第１の連結軸が第２の連結軸を中心に押し回されて、出力アームが第２の連結軸を中心に回転操作される。しかし、入力アームは、入力アームに逆回転方向の操作入力がかけられる時には、バネ部材の附勢力に抗して、第１の連結軸を中心に出力アームに対して逆回転方向に空振り回転する。
【００１０】
この第１の発明によれば、入力アームは、正回転方向の操作入力を受けることにより、第２の連結軸との当接点を支点に第１の連結軸を正回転方向に押し回して、出力アームを回転させる。このとき、入力アームは、第１の連結軸を中心に回転するのではなく、第２の連結軸を中心に回転することとなり、その回転半径は、第１の連結軸を中心とした軌道よりも小さくなる。一方、入力アームは、逆回転方向の操作入力を受けた時には、第１の連結軸を中心とした大きな回転半径で逆回転方向に空振り回転する。このように、入力アームを逃がし方向に大きく空振り回転させられるようにし、正回転方向には小さな回転半径で回転させられるようにしたことにより、逆回転方向の操作入力を逃がす構造をもつ車両用シートの切換機構を小型化して構成することができる。
【００１１】
次に、第２の発明は、上述した第１の発明において、出力アームには、ロック解除の作動構造を備えたロック装置が連結されている。ロック装置は、出力アームが回転操作される前の状態では、ロックした作動状態、或いはロック作動が可能な状態とされて保持されている。しかし、ロック装置は、出力アームが入力アームの正回転方向の回転運動に追従して回転操作されることにより、ロック不能な解除状態に切換えられるようになっている。入力アームは、入力アームを正回転方向に押動したり逆回転方向に押動したりする移動体との係合によりそれぞれの回転方向に回転操作されるが、移動体との係合から外れることによって、出力アームと共に附勢によって回転操作される前の初期位置状態に戻されるようになっている。
【００１２】
この第２の発明によれば、入力アームや出力アームは、入力アームが移動体との係合から外れた状態では、附勢によってそれぞれ回転操作される前の初期位置状態に戻されて保持される。したがって、このとき、ロック装置は、ロックした作動状態、或いはロック作動が可能な状態に保持される。しかし、ロック装置は、入力アームが移動体との係合により正回転方向に回転操作された状態に保たれる時には、出力アームを介してロック不能な解除状態に切換えられた状態として保持される。このように、移動体の移動態様によって、ロック装置を解除した状態に保持したり、ロック装置を解除作動させた後にロック可能状態に復帰させたりする使い分けを行えるようにすることができる。
【００１３】
次に、第３の発明は、上述した第２の発明において、移動体は、回転によりその外周面部に突出形成された突出部を入力アームに押し当てることで入力アームの正逆双方向の回転操作を行う回転カムとして形成されている。第１の連結軸の配設位置は、回転カムの突出部が入力アームを正回転方向に押し回して入力アームとの係合から外れる際の角当たり状態で、回転カムを逆回転方向に戻し操作した時に突出部から入力アームにかけられる押圧力の作用線から外れた偏心位置に設定されている。
【００１４】
この第３の発明によれば、入力アームは、回転カムの突出部によって正回転方向に押し回されて突出部との係合から外れる際の角当たり状態となったところで、回転カムが逆回転方向に戻し操作されると、突出部によって押圧力の作用を受ける。しかし、この押圧力の作用線は、第１の連結軸の配設位置から外れた方向にかかるように設定されているため、上記した押圧力の作用時には、第１の連結軸に過大な負荷をかけないように入力アームを逃がし回転させることができる。
【００１５】
次に、第４の発明は、上述した第３の発明において、回転カムは、車両用シートのシートバックに一体的に形成されており、シートバックの傾動回転に伴って回転するようになっている。シートバックを前傾姿勢位置まで倒し込んで保持する途中止め操作時には、入力アームが回転カムにより正回転方向に押し回されて、回転カムの突出部に乗り上げた状態に保持されることにより、車両用シートをフロアに対してスライドロックするロック装置としてのスライドロック装置のロック状態が解除されてその状態に保たれる。しかし、シートバックを前傾姿勢を越えた前倒し位置まで倒し込む大倒し操作を行うことにより、入力アームが回転カムの突出部を乗り越えて両者の係合が外されて、スライドロック装置がロック状態に戻される。
【００１６】
この第４の発明によれば、スライドロック装置は、シートバックの途中止め操作や大倒し操作を行う前は、車両用シートをフロアに対してスライドロックした状態として保持されている。そして、スライドロック装置は、シートバックの途中止め操作を行うことにより、スライドロックが解除された状態に切り換えられて保持される。これにより、シートバックを前傾姿勢にした状態で、車両用シートをフロアに対してスライドさせることができる。一方、スライドロック装置は、シートバックの大倒し操作を行うことにより、シートバックが倒れ込んでいく一連の動作によって、一旦はスライドロックが解除されるが、その後にスライドロックした状態に戻される。したがって、車両用シートのフロアに対するスライド位置を固定した状態で、シートバックを大倒しすることができる。
【発明を実施するための最良の形態】
【００１７】
以下に、本発明を実施するための最良の形態の実施例について図面を用いて説明する。
【実施例１】
【００１８】
始めに、実施例１の車両用シートの切換機構１０（以下、切換機構１０とする。）の構成について、図１〜図７を用いて説明する。ここで、図１には、本実施例の切換機構１０を備えた車両用シート１の概略構成が示されている。この車両用シート１は、背凭れとなるシートバック２と、着座部となるシートクッション３と、フロアＦに対する支持部材となる支持ベース４と、を有して構成されている。ここで、シートバック２は、その左右両側の下端部が、回転留め機能を備えたリクライニング装置５を介して、支持ベース４の左右両側部に回転可能にヒンジ連結されている。
【００１９】
これらリクライニング装置５は、シートバック２を回転中心線５Ｒのまわりに回転させられるように支持しており、同回転によってシートバック２の背凭れ角度の調整操作を行えるようにしている。そして、これらリクライニング装置５は、常時はシートバック２の回転移動をロックした回転留め状態に保持されている。このリクライニング装置５の回転留め状態は、シートバック２の肩口に設けられた図示しないチルトダウン操作レバーやウォークイン操作レバーのレバー操作を行うことによって一斉に解除されるようになっている。
【００２０】
ところで、上述したシートバック２は、常時はシートクッション３との間に掛着された図示しない附勢バネの附勢力によって、前倒れの回転方向に附勢されている。したがって、シートバック２は、上述したリクライニング装置５の回転留め状態が解除されることにより、附勢によって前倒れの回転方向に回転操作される。ここで、シートクッション３は、その前下側の両側部が、左右一対のフロントリンク４Ｒによって支持ベース４にリンク連結されており、その後部が、図示しないリヤリンクによってシートバック２とリンク連結されている。
【００２１】
これにより、シートクッション３は、シートバック２が前倒れ回転する動きに伴って、シートバック２の倒れ込みスペースを空けるように下方側に沈み込むようになっている。そして、上述したシートバック２は、チルトダウン操作レバーのレバー操作が行われて前倒れする時には、下方側に沈み込んだシートクッション３の上面部に畳み込まれる大倒し位置まで前倒れ回転するようになっている。ここで、上述したシートバック２を大倒し位置まで倒し込む操作が本発明の大倒し操作に相当する。
【００２２】
これにより、車両用シート１は、同操作レバーのレバー操作によって、全体がフロアＦ上に大きく沈み込んで、より小さく畳み込まれるようになっている。一方、シートバック２は、ウォークイン操作レバーのレバー操作が行われて前倒れする時には、その前倒れ回転が、回転途中の前傾姿勢となる位置までに留められるようになっている。ここで、シートバック２を前傾位置まで傾倒させる操作が本発明の途中止め操作に相当する。
【００２３】
そして、このとき、同操作レバーの操作によって、支持ベース４をフロアＦに対して車両前後方向にスライド可能に連結しているスライダ機構８のスライドロック装置８Ｃのロック状態も解除操作されるようになっている。これにより、車両用シート１は、同操作レバーのレバー操作によって、シートバック２が前傾姿勢に切換えられた状態で車両前方側にスライドさせられるようになり、その後方側に広い乗降スペースを確保できるようになっている。
【００２４】
ここで、スライダ機構８は、車両用シート１の支持ベース４の下面部に固定されたアッパレール８Ａが、フロアＦ上に固定設置されたロアレール８Ｂに対して車両前後方向にスライド可能となるように嵌め込まれた構成となっている。そして、アッパレール８Ａには、ロアレール８Ｂと噛合してアッパレール８Ａのスライドをロックするスライドロック装置８Ｃが設けられている。
【００２５】
なお、上述したスライダ機構８及びスライドロック装置８Ｃの構成については、特開２００５−２２５２６２号公報等の文献に開示された公知のものとなっているため、詳細な説明は省略することとする。また、上述した各レバーの操作によってシートバック２の前傾回転が前傾姿勢位置までに留められたり大倒し位置まで行われたりする機構は、米国特許第６１５２５３３号明細書等の文献に開示の公知の構成となっているため、これについての詳細な説明も省略することとする。また、リクライニング装置５の構成についても、特開２００７−１３０２３７号公報等の文献に開示された公知のものとなっているため、これについての詳細な説明も省略することとする。
【００２６】
以下、上述したシートバック２の傾倒動作の違いによって、スライドロック装置８Ｃのロック状態を解除したりしなかったりする切換機構１０の構成について、図２〜図７を用いて詳しく説明をする。すなわち、図２に示されるように、切換機構１０は、支持ベース４に一体的に設けられたベース体１１と、このベース体１１に第２の連結軸１２Ａによって回転可能に軸支連結された出力アーム１２と、第１の連結軸１３Ａによって出力アーム１２に回転可能に軸支連結された入力アーム１３と、を有して構成されている。
【００２７】
詳しくは、ベース体１１は、薄いＬ字板形状に形成されており、その端部箇所に、後述する解除ケーブル７のアウターケーブルの端部を掛着させるためのケーブル掛部１１Ａと、出力アーム１２を回転附勢する巻きバネ１２Ｄの一端を掛着させるためのバネ掛部１１Ｂとが折り曲げ形成されている。そして、出力アーム１２は、前述したベース体１１に回転可能に軸支連結された第２の連結軸１２Ａに一体的に結合固定されて設けられている。
【００２８】
そして、出力アーム１２は、その図示左側のアームの上面部と上述したベース体１１のバネ掛部１１Ｂとの間に、巻きバネ１３Ｄが掛着されている。ここで、この巻きバネ１３Ｄは、予め捩り込まれた状態として第２の連結軸１２Ａに巻掛けられて設けられており、そのバネ力によって、常時出力アーム１２を第２の連結軸１２Ａを中心にベース体１１に対して図示反時計回り方向に回転附勢するようになっている。これにより、出力アーム１２は、常時は、その図示右側のアーム部に形成された係止片１２Ｂを、前述したベース体１１に折り曲げ形成されたバネ掛部１１Ｂに当接させた回転位置状態に保持されている。
【００２９】
ここで、出力アーム１２の図示左側のアーム部には、回転方向に延びる長孔１２Ｃが形成されており、同長孔１２Ｃ内には、後述する解除ケーブル７のアウターケーブルから繰り出されたインナーケーブルの先端部に設けられた掛着ピン７Ａが掛着されている。この解除ケーブル７のインナーケーブルは、その図示されていない他端側部が、図１において前述したスライドロック装置８Ｃのロック解除操作を行う操作部と連結されている。
【００３０】
ここで、スライドロック装置８Ｃは、常時は車両用シート１のスライドをロックする作動方向に附勢がかけられて構成されている。これにより、解除ケーブル７は、図２に示されるように、出力アーム１２が回転操作される前の常時は、上述したスライドロック装置８Ｃにかけられたロック作動方向のバネ附勢力によって、掛着ピン７Ａが他端側から引き込まれる格好で長孔１２Ｃ内の図示下端側位置に引き込まれた状態として保持されている。
【００３１】
そして、解除ケーブル７は、図３において後述するように、シートバック２が前倒れ回転する動きによって出力アーム１２が図示時計回り方向に回転操作されることにより、インナーケーブルがアウターケーブルの端部から引き出される態様で牽引操作される。これにより、スライドロック装置８Ｃは、そのロックの作動方向にかけられた附勢に抗して、スライドロック状態が解除される方向に操作される。
【００３２】
なお、解除ケーブル７は、図２や図４に示されるように、出力アーム１２が回転操作される前の初期位置状態に戻されることにより、その牽引操作された操作力が弛められて、前述したスライドロック装置８Ｃにかけられたバネ附勢力によって、スライドロック装置８Ｃをスライドロックさせた状態に戻すようになっている。
【００３３】
次いで、図２に戻って、入力アーム１３は、「く」符号状に湾曲した板形状に形成されており、その図示下端部が、出力アーム１２に回転可能に軸支連結された第１の連結軸１３Ａに一体的に結合固定されて設けられている。そして、入力アーム１３は、上述した第１の連結軸１３Ａと出力アーム１２の係止片１２Ｂとの間に、巻きバネ１２Ｄが掛着されている。ここで、巻きバネ１２Ｄが本発明のバネ部材に相当する。
【００３４】
この巻きバネ１２Ｄは、予め捩り込まれた状態として第１の連結軸１３Ａに巻掛けられて設けられており、そのバネ力によって、常時入力アーム１３を第１の連結軸１３Ａを中心に出力アーム１２に対して図示時計回り方向に回転附勢するようになっている。これにより、入力アーム１３は、常時は、その「く」符号の折れ曲がった部分を形成する凹状の受入部１３Ｃを、前述した第２の連結軸１２Ａに覆い掛けるように当接させた回転姿勢状態に保持されている。
【００３５】
そして、これにより、入力アーム１３の上端部に設けられた係合ピン１３Ｂは、後述するシートバック２に固定設置された回転部材６の突出部６Ａと干渉可能な待受け位置の状態とされて保持されている。ここで、回転部材６が本発明の回転カムに相当する。ここで、回転部材６は、シートバック２の骨格を成すバックフレーム２Ｆの下縁部に一体的に結合されて設けられており、全体が、バックフレーム２Ｆの下縁形状に沿って湾曲して形成されている。
【００３６】
この回転部材６は、その湾曲した外周形状の一部に、部分的に形状が張り出した突出部６Ａが形成されている。この突出部６Ａは、回転部材６の外周面上から垂直よりも滑らかに立ち上がるように、各立ち上がり面が傾斜して形成されており、そして、その立ち上がった角面が丸められて形成されている。
【００３７】
上記した回転部材６は、図２から図３への状態変化によって示されるように、シートバック２が前述したウォークイン操作レバーのレバー操作によって前傾位置まで前倒れすることにより、その外周部に突出した突出部６Ａによって入力アーム１３の係合ピン１３Ｂを押圧し、入力アーム１３を第１の連結軸１３Ａを中心に図示時計回り方向（正回転方向）に押し回す。これにより、入力アーム１３は、受入部１３Ｃと第２の連結軸１２Ａとの当接点を支点に、第１の連結軸１３Ａを第２の連結軸１２Ａを中心に図示時計回り方向（正回転方向）に押し回して、出力アーム１２を同方向に回転させる（図３参照）。
【００３８】
そして、入力アーム１３は、図３に示されるように、シートバック２が前傾位置まで倒し込まれて保持されることにより、係合ピン１３Ｂが回転部材６の突出部６Ａに乗り上げた状態となって保持されて、図示された回転操作された位置状態に保持される。これにより、出力アーム１２も回転操作された位置状態に保持されるため、解除ケーブル７を介してスライドロック装置８Ｃのスライドロック状態が解除された状態に保たれる。
【００３９】
しかし、回転部材６は、図４に示されるように、シートバック２がチルトダウン操作レバーのレバー操作によって大倒し位置まで倒し込まれると、突出部６Ａが入力アーム１３の係合ピン１３Ｂとの係合から外れる位置まで回転する。したがって、入力アーム１３は、係合ピン１３Ｂと突出部６Ａとの係合の外れによって、出力アーム１２と共に、巻きバネ１３Ｄ，１２Ｄの附勢力によって、回転操作される前の初期位置（図２参照）の状態まで戻される。
【００４０】
そして、この出力アーム１２が初期位置に戻される動きに伴って、解除ケーブル７の牽引操作状態が解かれて、スライドロック装置８Ｃがスライドロックした状態に戻される。ここで、入力アーム１３は、図４の仮想線の状態によって示されるように、係合ピン１３Ｂが突出部６Ａとの係合から外れる際の角当たり状態となった時に、シートバック２が起こし上げ方向に逆戻し操作されると、係合ピン１３Ｂに突出部６Ａの角面から押圧力が入力される。
【００４１】
しかし、この係合ピン１３Ｂにかかる押圧力の作用線Ｌは、突出部６Ａと係合ピン１３Ｂとが当接した当接面の法線方向に延びるが、入力アーム１３単体の回転中心である第１の連結軸１３Ａの配設位置から外れて設定されている。したがって、入力アーム１３は、上記した角当たり状態の時に、突出部６Ａから逆戻り方向の押圧力を受けても、同押圧力の作用線Ｌが第１の連結軸１３Ａに対して偏心した方向（図示反時計回り方向）に空振り回転して、同押圧力を逃がすことができる。
【００４２】
次に、図５に示されるように、シートバック２を着座使用する位置に復帰させるために大倒し位置から起こし上げる操作を行うと、入力アーム１３は、突出部６Ａによって係合ピン１３Ｂが上記とは逆方向に押圧操作される。しかし、この場合には、入力アーム１３は、第２の連結軸１２Ａとの当接から外れる方向に押し操作されるため、出力アーム１２を追従回転させることなく入力アーム１３が単体で第１の連結軸１３Ａを中心に図示反時計回り方向（逆回転方向）に回転する。
【００４３】
そして、図６に示されるように、シートバック２が着座使用位置まで起こし上げられることにより、入力アーム１３は、上述した係合ピン１３Ｂと突出部６Ａとの係合が外れることによって、巻きバネ１３Ｄの附勢力によって、回転操作される前の初期位置（図２参照）に戻される。
【００４４】
このように、本実施例の切換機構１０によれば、入力アーム１３は、図２において前述したように、シートバック２の前倒れ回転に伴って正回転方向（図示時計回り方向）の操作入力を受けることにより、第２の連結軸１２Ａとの当接点を支点に第１の連結軸１３Ａを正回転方向に押し回して、出力アーム１２を回転させる。このとき、入力アーム１３は、第１の連結軸１３Ａを中心に回転するのではなく、第２の連結軸１２Ａを中心に回転することとなるため、その回転半径は、第１の連結軸１３Ａを中心とした軌道よりも小さくなる。
【００４５】
一方、図５に示されるように、入力アーム１３は、逆回転方向（図示反時計回り方向）の操作入力を受けた時には、第１の連結軸１３Ａを中心とした大きな回転半径で逆回転方向に空振り回転する。このように、入力アーム１３を逃がし方向に大きく空振り回転させられるようにし、正回転方向には小さな回転半径で回転させられるようにしたことにより、逆回転方向の操作入力を逃がす構造をもつ切換機構１０を小型化して構成することができる。
【００４６】
また、入力アーム１３や出力アーム１２は、入力アーム１３が回転部材６との係合から外れた状態では、附勢によってそれぞれ回転操作される前の初期位置状態に戻されて保持される。これにより、スライドロック装置８Ｃは、スライドロックした作動状態に戻されて保持される。しかし、スライドロック装置８Ｃは、入力アーム１３が回転部材６との係合によって正回転方向に回転操作された状態に保たれる時には、出力アーム１２を介して解除状態に切換えられた状態として保持される。
【００４７】
このように、シートバック２の前倒れ回転が前傾位置までに留められたり大倒し位置まで行われたりする移動態様によって、スライドロック装置８Ｃを解除した状態に保持したり、スライドロック装置８Ｃを解除作動させた後にスライドロック状態に復帰させたりする使い分けを行うことができる。
【００４８】
また、図４において前述したように、入力アーム１３は、回転部材６の突出部６Ａによって正回転方向に押し回されて突出部６Ａとの係合から外れる際の角当たり状態となったところで、回転部材６が逆回転方向に戻し操作されると、突出部６Ａによって押圧力の作用を受ける。しかし、この押圧力の作用線Ｌは、第１の連結軸１３Ａの配設位置から外れた方向にかかるように設定されているため、上記した押圧力の作用時には、第１の連結軸１３Ａに過大な負荷をかけないように入力アーム１３を逃がし回転させることができる。
【００４９】
また、スライドロック装置８Ｃは、シートバック２を大倒しするチルトダウン操作レバーのレバー操作を行うことにより、シートバック２が倒れ込んでいく一連の動作によって、一旦はスライドロックが解除されるが、その後にスライドロックした状態に戻される。したがって、車両用シート１のフロアＦに対するスライド位置を固定した状態で、シートバック２を大倒しすることができる。
【００５０】
以上、本発明の実施形態を一つの実施例を用いて説明したが、本発明は上記実施例のほか各種の形態で実施ができるものである。例えば、上記実施例では、本発明の切換機構１０として、車両用シート１のシートバック２を倒し込んだり起こし上げたりする動きによって、その動きを出力アーム１２に伝達したりしなかったりする用途に用いたものを示した。しかし、本発明が対象とする切換機構は、正回転方向の操作入力を受けた時には同入力を回転出力として伝達するが、逆回転方向の操作入力を受けた時には同入力を空振り回転によって逃がすことを目的とした様々な機構構造に適用することができる。
【００５１】
また、本発明の切換機構１０を介して操作力伝達を受ける操作対象として、車両用シート１をフロアＦに対してスライドロックしたり解除したりするスライドロック装置８Ｃを示したが、その他にも、特開２００８−１１４６９０号公報等の文献に開示されているようなストライカに係合ロックする構造を備えたロック装置を操作対象として適用することもできる。具体的には、このロック装置は、ストライカに押し込まれる動きによって、その内部構造が押し回されて、ストライカに部材を回し込んで引掛けるロック構造となっている。
【００５２】
そして、ロック装置は、常時はストライカに押し込まれる動きによってロック作動することのできるロック可能状態に附勢によって保持されている。そして、ロック装置は、上記した附勢に抗して解除操作されることにより、ストライカに係合ロックしたロック状態或いは係合ロック可能な状態となっているロック可能状態から解除操作されて、ロック不能な解除状態に切換えられるようになっている。
【図面の簡単な説明】
【００５３】
【図１】実施例１の車両用シートの概略構成を表した側面図である。
【図２】車両用シートの切換機構の構成を表した模式図である。
【図３】シートバックが前傾位置まで倒し込まれた状態を表した模式図である。
【図４】シートバックが大倒し位置まで倒し込まれた状態を表した模式図である。
【図５】シートバックが大倒し位置から途中位置まで起こし上げられた状態を表した模式図である。
【図６】シートバックが着座使用位置まで起こし上げられた状態を表した模式図である。
【図７】図２のVII-VII線断面図である。
【符号の説明】
【００５４】
１      車両用シート
２      シートバック
２Ｆ    バックフレーム
３      シートクッション
４      支持ベース
４Ｒ    フロントリンク
５      リクライニング装置
５Ｒ    回転中心線
６      回転部材（回転カム）
６Ａ    突出部
７      解除ケーブル
７Ａ    掛着ピン
８      スライダ機構
８Ａ    アッパレール
８Ｂ    ロアレール
８Ｃ    スライドロック装置
１０    切換機構
１１    ベース体
１１Ａ  ケーブル掛部
１１Ｂ  バネ掛部
１２    出力アーム
１２Ａ  第２の連結軸
１２Ｂ  係止片
１２Ｃ  長孔
１２Ｄ  巻きバネ（バネ部材）
１３    入力アーム
１３Ａ  第１の連結軸
１３Ｂ  係合ピン
１３Ｃ  受入部
１３Ｄ  巻きバネ
Ｆ      フロア
Ｌ      作用線
【図１】
2010006097.tif 000003
【図２】
2010006097.tif 000004
【図３】
2010006097.tif 000005
【図４】
2010006097.tif 000006
【図５】
2010006097.tif 000007
【図６】
2010006097.tif 000008
【図７】
2010006097.tif 000009